(57)【特許請求の範囲】
【請求項１】
加熱炉から抽出されたビレットを圧延する棒線用多ストランド圧延機を備えた圧延設備であって、前記加熱炉と前記多ストランド圧延機との間に、ビレットを減面するための１ストランド圧延機と、前記多ストランド圧延機の各ストランドへビレットを振り分ける振り分け装置とを有する棒線用多ストランド圧延設備において、前記振り分け装置は、前記多ストランド圧延機の孔数以下の複数の搬送トラフを備え、各搬送トラフは、１ストランド圧延機によって圧延されたビレットが搬送トラフ内を搬送中に、ビレットの尾端が１ストランド圧延機を抜けたことをビレットの端部位置の検出装置により検知して、搬送トラフ入側が搬送ライン外にシフトする機能と、次いでビレットが搬送されていない別の搬送トラフが次のビレットの振り分けを行えるように搬送ライン上へ入側がシフトする機能とを有し、かつ、狙いの各ストランド位置へビレットを搬送するために搬送トラフ出側が各ストランドへシフトする機能を有することを特徴とする棒線用多ストランド圧延設備。
【請求項２】
前記振り分け装置の搬送トラフは、ビレットの曲がり角度９．５°以内でシフトし、搬送されるビレットを弾性変形する範囲内で狙いの各ストランド位置へ搬送する機能を有することを特徴とする請求項１に記載の棒線用多ストランド圧延設備。
【請求項３】
前記振り分け装置の搬送トラフは、矩形のトラフにＶ字ローラを有する搬送トラフであることを特徴とする請求項１または２に記載の棒線用多ストランド圧延設備。
【請求項４】
前記１ストランド圧延機はオン・オフラインにシフトする機能を有することを特徴とする請求項１に記載の棒線用多ストランド圧延設備。
【請求項５】
加熱炉から抽出されたビレットを１ストランド圧延機で後続する多ストランド圧延機で圧延できる大きさまで減面したビレットとし、該減面したビレットを前記多ストランド圧延機の各ストランド位置に多ストランド圧延機の基数以下の複数の搬送トラフを備えた振り分け装置で振り分ける方法であって、ビレットが振り分け装置の搬送トラフ内を搬送中に、ビレットの尾端が前記１ストランド圧延機を抜けたことを位置検出装置により検知して、前記搬送トラフ入側を搬送ライン外にシフトし、次いでビレットが搬送されていない別の振り分け装置の搬送トラフが次のビレットの振り分けを行えるように搬送ライン上へ入側をシフトさせることを特徴とする棒線用多ストランド圧延設備におけるビレットの振り分け方法。
【発明の詳細な説明】
【技術分野】
【０００１】
本発明は、ビレット振り分け装置（ダイバーター）を備えた棒線用多ストランド圧延設備及び棒線用多ストランド圧延設備におけるビレットの振り分け方法に関するものである。
【背景技術】
【０００２】
通常、棒線用多ストランド圧延設備においては、製品外径が細く、高速圧延によってもその生産能率が低いので、生産性向上のため、加熱炉から抽出したビレットを多ストランド圧延機で圧延を行い、その後仕上圧延機列でそれぞれ１ストランド圧延を実施して棒線を製造している。
【０００３】
ところが、このような圧延設備では、圧延できるビレットのサイズは、加熱炉に後続する多ストランド圧延機で受入可能なサイズに制限される。したがって、多ストランド圧延機で圧延可能な大きさ以上のビレットは圧延できない。
しかしながら、ビレットサイズは大きい方が経済的であり、品質的にも優位であり、かつ取り扱いも容易であるにも拘らず、受入可能なビレットサイズは多ストランド圧延機で圧延可能な大きさに制限され、より大きなビレットサイズのビレットに対応することができないという問題があった。
【０００４】
この問題を解決して、既存の設備を大幅に改造することなく、大きなサイズのビレットでも多ストランド圧延を可能としたビレットのサイズの制約を受けない棒線用多ストランド圧延設備についての技術が種々提案されている。
【０００５】
例えば、既存の多ストランド圧延設備の加熱炉の反対側にブレークダウン圧延機を設け、加熱炉から抽出したビレットを前以てブレークダウン圧延機で圧延して小断面積のビレットにし、加熱炉に戻した後に、再度加熱炉から抽出して既存の多ストランド圧延機で圧延を実施する設備がある（例えば、特許文献１参照）。この設備では、既存の多ストランド圧延ライン内に大きなスペースは必要でないが、加熱炉の反対側に大きなスペースが必要となり、また、既存加熱炉の本体、抽出装置の改造が必要となるという問題がある。
【０００６】
また、単スタンドから２スタンドの圧延機にビレットを分ける途中でビレットを分割するスリット圧延を実施する技術もある（例えば、特許文献２参照）。この技術は、ビレットを圧延中に縦に分割するため最終製品に疵などが残り、品質的に問題が生じる。また、現状と同様の粗圧延機の出力を出すためには既存の粗圧延機の出力を上げる必要性が出てくる。
【０００７】
さらに、加熱炉と多ストランド圧延機との間に、ビレットを多ストランド圧延機で圧延できる大きさにまで減面するための１ストランド減面用圧延機を設け、１ストランド圧延機によって圧延された減面ビレットを受入用テーブルと払出用テーブルからなる振分装置により多ストランド圧延機の各ストランドにビレットを平行移動して振り分けて圧延する技術がある（例えば、特許文献３参照）。
この技術は、圧延ライン側にビレットの平行移動をさせるための広いスペースが必須のため、既存の加熱炉の移設が必要となるという問題がある。
【０００８】
これらの従来技術はいずれも１ストランド圧延機により、前以て多ストランド圧延機で圧延可能な大きさのビレットに減面した後に、その減面したビレットを多ストランド圧延機で圧延するものであるが、各々の技術にはそれぞれ問題があり、十分に満足できるものではない。
【先行技術文献】
【特許文献】
【０００９】
【特許文献１】特開平１１−２２１６０１号公報
【特許文献２】特開２０００−１５３３０２号公報
【特許文献３】特開２００１−２７６９１５号公報
【発明の概要】
【発明が解決しようとする課題】
【００１０】
本発明は、多ストランド圧延設備を有するミルにおいて、ビレットを減面するための１ストランド圧延設備を導入する場合の問題を解決しようとするもので、多ストランド圧延設備を有するミルにおいて、１ストランド圧延設備を導入しようとする場合に、既設多ストランド圧延設備に１ストランド圧延機で圧延されたビレットを平行移動して振り分けるようにすると、平行移動のスペースが、１ストランド圧延機と多ストランド圧延機の間に必要となる。棒線圧延ミルで使用されるビレット（小断面長尺ビレット）は１０〜２０ｍであり、１ストランド圧延機で圧延された後のビレットは１５〜３６ｍとなる。そのため、１ストランド圧延機を導入する際、ビレットを振り分けるスペースが確保出来ない場合は大幅な改造が必要となる。また、ビレットが振り分け装置を抜け切らないと振り分けが出来ないため生産性に問題がある。
【００１１】
そこで、本発明は、多ストランド圧延設備を有するミルにおいて、前以てビレットを減面するための１ストランド圧延機を設置した際に、１ストランド圧延機と多ストランド圧延機の間に小スペースでビレットを振り分けすることができ、かつビレットが振り分け装置を抜け切らなくても振り分けができて生産性を向上できる振り分け装置を設けた棒線用多ストランド圧延設備および多ストランド圧延でのビレットの振り分け方法を提供することを課題とするものである。
【課題を解決するための手段】
【００１２】
本発明者は、上記課題を解決すべく鋭意研究し、その結果、１ストランド圧延機と既存多ストランド圧延機の間に多ストランド圧延機の孔数（ストランド数）以下の複数の搬送トラフを備えた振り分け装置を設け、１ストランド圧延機で圧延されたビレットを複数の搬送トラフで多ストランド圧延機へ振り分けるようにすることで、ビレットが振り分け装置の搬送トラフを抜け切らなくてもビレットの振り分けが可能となり、かつ小スペース（ビレット長さ以下の距離）で振り分けが可能となると共に、生産性が向上することを知見した。
【００１３】
本発明は、上記知見に基づいて完成したもので、その発明の要旨は以下のとおりである。
【００１４】
（１）加熱炉から抽出されたビレットを圧延する棒線用多ストランド圧延機を備えた圧延設備であって、前記加熱炉と前記多ストランド圧延機との間に、ビレットを減面するための１ストランド圧延機と、前記多ストランド圧延機の各ストランドへビレットを振り分ける振り分け装置とを有する棒線用多ストランド圧延設備において、前記振り分け装置は、前記多ストランド圧延機の孔数以下の複数の搬送トラフを備え、各搬送トラフは、１ストランド圧延機によって圧延されたビレットが搬送トラフ内を搬送中に、ビレットの尾端が１ストランド圧延機を抜けたことをビレットの端部位置の検出装置により検知して、搬送トラフ入側が搬送ライン外にシフトする機能と、次いでビレットが搬送されていない別の搬送トラフが次のビレットの振り分けを行えるように搬送ライン上へ入側がシフトする機能とを有し、かつ、狙いの各ストランド位置へビレットを搬送するために搬送トラフ出側が各ストランドへシフトする機能を有することを特徴とする棒線用多ストランド圧延設備。
【００１６】
（２）前記振り分け装置の搬送トラフは、ビレットの曲がり角度９．５°以内でシフトし、搬送されるビレットを弾性変形する範囲内で狙いの各ストランド位置へ搬送する機能を有することを特徴とする上記（１）に記載の棒線用多ストランド圧延設備。
【００１７】
（３）前記振り分け装置の搬送トラフは、矩形のトラフにＶ字ローラを有する搬送トラフであることを特徴とする上記（１）または（２）に記載の棒線用多ストランド圧延設備。
【００１８】
（４）前記１ストランド圧延機はオン・オフラインにシフトする機能を有することを特徴とする上記（１）に記載の棒線用多ストランド圧延設備。
【００１９】
（５）加熱炉から抽出されたビレットを１ストランド圧延機で後続する多ストランド圧延機で圧延できる大きさまで減面したビレットとし、該減面したビレットを前記多ストランド圧延機の各ストランド位置に多ストランド圧延機の基数以下の複数の搬送トラフを備えた振り分け装置で振り分ける方法であって、ビレットが振り分け装置の搬送トラフ内を搬送中に、ビレットの尾端が前記１ストランド圧延機を抜けたことを位置検出装置により検知して、前記搬送トラフ入側を搬送ライン外にシフトし、次いでビレットが搬送されていない別の振り分け装置の搬送トラフが次のビレットの振り分けを行えるように搬送ライン上へ入側をシフトさせることを特徴とする棒線用多ストランド圧延設備におけるビレットの振り分け方法。
【発明の効果】
【００２０】
本発明によれば、以下のような顕著な効果が得られる。
（１）小スペース（ビレット長さ以下の距離）で振り分けが可能となる。そのため、設備投資コストが削減出来る。
（２）待ち時間がないため生産性が向上する。
（３）狙いのストランドへのビレットの確実な搬送が可能となる。
（４）平行移動せず常に圧延方向に進行しているため空冷時間が短縮し、圧延材温度降下を抑えられ、加熱炉でのビレット加熱温度を低下させエネルギーコストを削減できる。
【図面の簡単な説明】
【００２１】
【図１】単一の搬送トラフからなる振り分け装置で減面用圧延機から多ストランド圧延機へビレットを振り分ける場合の振り分け装置の概要を示す図で、（ａ）はビレットが振り分け装置上にある状態を示す図で、（ｂ）はビレットが振り分け装置を抜けて多ストランド圧延機へ振り割れられた状態を示す図である。
【図２】減面用圧延機から多ストランド圧延機へビレットを振り分ける場合の振り分け装置の長さを短くした場合の例で、（ａ）は振り分け装置をビレットが抜けて振り分け装置が移動できる状態を示す図で、（ｂ）はビレットの振り分けにトラブルが生じ状態を示す図である。
【図３】減面用圧延機から２ストランド圧延機へビレットを振り分けるために、２つの搬送トラフを備えた振り分け装置により振り分ける場合の本発明例で、（ａ）は振り分け装置の一方のトラフ内にビレット尾端が抜けて振り分け装置がシフト（移動）できる状態を示す図で、（ｂ）は他方の搬送トラフで次のビレットを振り分ける状態を示す図である。
【図４】本発明の多ストランド圧延設備全体の概要を示す図である。
【図５】振り分け装置の搬送トラフの概略図である。
【図６】前ビレットが振り分け装置内を抜け切る時間分、待ち時間が減少することを説明するための図である。
【発明を実施するための形態】
【００２２】
本発明の棒線用多ストランド圧延設備は、前以てビレットを減面するための１ストランド圧延機を設置した設備であって、加熱炉、デスケーリング装置、１ストランド圧延機（以下減面用圧延機とも称する）、振り分け装置、多ストランド圧延機の順に備えて構成されている。
【００２３】
加熱炉は、例えばウォーキングビーム方式の加熱炉であり、この加熱炉で９００〜１２５０℃程度に加熱、均熱されたビレットは、抽出ローラにて１本ずつ抽出される。加熱炉で加熱されるビレットサイズは１２０ｍｍ〜１６０ｍｍ（以下１２０◇と表示）を対象としている。一方、前記多ストランド圧延機で圧延出来るビレットサイズは９５◇〜１３１◇程度であるが、１ストランド減面用圧延機で減面されるので、加熱炉で加熱されたビレットが多ストランド圧延機で受け入れ可能なサイズとなる。
【００２４】
炉外へ抽出されたビレットは転回式ピンチロールを介して減面用圧延機に送られる。減面用圧延機は、複数のスタンドを有する粗圧延機であり、例えばＨＶ（水平垂直）の２スタンド連続１ストランド粗圧延機を用いることができる。加熱炉から送られてきたビレットは、この減面用粗圧延機により９５◇〜１３１◇に圧延（減面）・形成される。
【００２５】
この減面用圧延機により多ストランド圧延機で受け入れ可能なサイズのビレットが得られる。前記、減面用粗圧延機により９５◇〜１３１◇に圧延されたビレットは振り分け装置に搬送され、振り分け装置により、減面されたビレットは多ストランド圧延機に振り分ける。
【００２６】
本発明では、振り分け装置の設置スペースが小スペース（ビレット長さ以下の距離）で振り分けが可能で、狙いのストランドへのビレットの確実な搬送が可能となる振り分け装置について研究した。以下、多ストランド圧延機として２ストランド圧延機を用いた例について説明する。
【００２７】
図１は、単一の搬送トラフからなる振り分け装置で減面用圧延機から多ストランド圧延機へビレットを振り分ける場合の振り分け装置の概要を示す図で、（ａ）はビレットが振り分け装置上にある状態を示す図で、（ｂ）はビレットが振り分け装置を抜けて多ストランド圧延機へ振り割れられた状態を示す図である。
【００２８】
加熱炉から抽出したビレット１を減面用圧延機２で圧延し、減面されたビレットは振り分け装置４により多ストランド圧延機に振り分けられる。この場合は、図１（ａ）に示すようにビレット３が振り分け装置４上にある間は振り分け装置４は移動することができず、図１（ｂ）に示すようにビレット３が振り分け装置４を抜け切らないと振り分けが出来ない。このため、ビレットが振り分け装置を抜け切るまで待たないと振り分け装置を他の多ストランド圧延機５側へシフト（移動）することができず、後行する次のビレットを振り分けるのに待ち時間が必要となり、生産性に問題がある。
【００２９】
そこで、振り分け装置の長さを短くしてビレットが振り分け装置を抜け切る時間を短くして生産性の向上を図ることを検討した。
【００３０】
図２は減面用圧延機から多ストランド圧延機へビレットを振り分ける場合の振り分け装置の長さを短くした場合の例で、（ａ）は振り分け装置をビレットが抜けて振り分け装置が移動できる状態を示す図で、（ｂ）はビレットの振り分けにトラブルが生じ状態を示す図である。
【００３１】
加熱炉から抽出したビレット１を減面用圧延機２で圧延し、減面されたビレット３は振り分け装置４により多ストランド圧延機５に振り分ける際に、振り分け装置４の搬送トラフを短くすると、図２（ａ）に示すように、短時間でビレットが振り分け装置を抜けて振り分け装置がフリーとなるため、次のビレットの振り分けが可能となる。しかし、図２（ｂ）に示すように、振り分け装置４が短くて多ストランド圧延機５までビレット３を誘導する搬送トラフがないため、ビレットを正確に誘導することができずに、多ストランド圧延機の入側で衝突６等のトラブルが発生する危険がある。
【００３２】
本発明は、図１に示す振り分け装置では、ビレットが振り分け装置を抜け切らないと振り分けが出来ないため生産性に問題があり、図２に示すように生産性を確保するために振り分け装置を小さくすると先端の誘導が不安定になり、搬送に問題がある等を考慮し、複数の搬送トラフを備えた振り分け装置を設けたことによりこれらの欠点を解決したものである。
【００３３】
図３は減面用圧延機から多ストランド圧延機へビレットを振り分けるために、２つの搬送トラフを備えた振り分け装置により振り分ける場合の本発明例で、（ａ）は振り分け装置の一方のトラフ内にビレット尾端が抜けて振り分け装置がシフト（移動）できる状態を示す図で、（ｂ）は他方の搬送トラフで次のビレットを振り分ける状態を示す図である。
本発明では、加熱炉から抽出したビレット１を減面用圧延機２で圧延し、減面されたビレット３は２つの搬送トラフを備えた振り分け装置４により多ストランド圧延機５に振り分ける。この場合は、図３（ａ）に示すように振り分け装置の一方の第１の搬送トラフ７内に減面したビレット３尾端が抜けると、第１の搬送トラフ７は減面粗圧延機のラインからシフト（移動）できる状態となるので、ビレットの最尾端を検知し減面用圧延機からビレットが抜けたことを確認した後、減面粗圧延機のラインよりシフトする。次いで、減面粗圧延機後のビレットを受け取った第１の搬送トラフがあった空いたラインに、ビレットを搬送していない第２の搬送トラフ８を移動する。そして、図３（ｂ）に示すように、後行する次の減面ビレット３を減面粗圧延機２から第２の搬送トラフ８に導入し、多ストランド圧延機５に振り分ける。この振り分け作業を継続している間に第１の搬送トラフ内のビレットは多ストランド圧延機の一方で圧延を実施することができる。
【００３４】
先行ビレットが搬送トラフを抜け切るまでの時間を待つ必要がないため、待ち時間が短縮でき生産性が向上する。振り分け装置の各搬送トラフが各狙いのストランドにシフトしているためビレットを確実に狙いのストランドへ搬送が出来る。
【００３５】
上記説明では２ストランド圧延機について説明したが、本発明によれば、生産性を確保し狙いの各ストランドへ確実に振り分け出来るよう、既設ストランド数と同数以下の複数の搬送トラフを備えた振り分け装置を設置するようにすれば多ストランド圧延機に適用することができる。
【００３６】
図４は、本発明の多ストランド圧延設備全体の概要を示す図である。
【００３７】
本発明の多ストランド圧延設備では、図４に示すように、加熱炉１１から抽出したビレットをデスケーリング装置１２によりデスケーリングした後、減面圧延機（１ストランド粗圧延機）２で、後続する多ストランド圧延機で圧延出来る大きさまで減面したビレットとする。減面したビレットを多ストランド圧延機５に振り分けるために、各ストランド位置に多ストランド圧延機の孔数以下の複数の搬送トラフ７、８を備えた振り分け装置４が配置されている。まず、圧延ラインに第１の搬送トラフ７の入側をシフトし、かつ出側を多ストランド圧延機の１つのスタンド位置にシフトした後、圧延されたビレットを第１の搬送トラフ７に導入する。ビレットが振り分け装置４の搬送トラフ７内を搬送中に、ビレットの尾端が減面圧延機を抜けたことを光センサー等を備えた位置検出装置により検知して、前記第１の搬送トラフ７の入側を圧延ライン外にシフトし、次いでビレットが搬送されていない別な振り分け装置の搬送トラフ８を後行する次のビレットの振り分けを行えるようにシフトさせることを繰り返してビレットを多ストランド圧延機に振り分ける。振り分けられたビレットは常法通り多ストランド圧延機で棒・線に圧延される。
【００３８】
本発明では、ビレットは平行移動せず常に圧延方向に進行しているため空冷時間が短縮しビレットの温度降下を抑えることができ、加熱炉でのビレットの加熱温度を低下させエネルギーコストの削減が出来るという効果もある。
【００３９】
図５は、振り分け装置の搬送トラフの概略図である。
【００４０】
振り分け装置は矩形の搬送トラフ９を複数備えていて、搬送トラフは搬送面がＶ字形状のＶ字ローラ１０がビレット進行方向に複数併設されて構成されている。ビレットは矩形トラフにより進行方向が変わらず、Ｖ字ローラのＶ字面により拘束され、ビレットの自重で搬送姿勢が維持され、曲がり、ねじれも最小限に抑えられる。
【００４１】
振り分け装置の搬送トラフのシフトは、ビレットの最尾端を検知し減面用圧延機からビレットが抜けたことを確認した後、圧延機のラインより移動を行う。粗圧延機後のビレットを受け取った振り分け装置があった空いたラインにビレットが搬送されていない搬送トラフがシフト（移動）する。
【００４２】
このような搬送トラフのシフト（移動）は、例えば、軌条上に載置した搬送トラフを油圧ピストンや空気圧ビストン等を用いた機械的装置或いは電動機を用いた電気的装置によりシフトすればよい。
【００４３】
また、振り分け装置の搬送トラフは、ビレットの曲がり角度９．５°以内でシフトすることが好ましい。即ち、搬送されるビレットを弾性変形する範囲内で狙いの各ストランド位置へ搬送させるためには曲がり角度９．５°が限界であるからである。
【００４４】
本発明では、前ビレットが振り分け装置内を搬送している間に、次ビレットが抽出・圧延が可能であるため、前ビレットが振り分け装置内を抜け切る時間分、待ち時間が減少し、生産性が向上する。
【００４５】
図６は、前ビレットが振り分け装置内を抜け切る時間分、待ち時間が減少することを説明するための図である。
図６に示すように、例えば、減面用粗圧延機（１ストランド粗圧延機）２と多ストランド粗圧延機５との距離を２７１５０ｍｍ、振り分け装置（ダイバーター）４と多ストランド粗圧延機５との距離を１６９２０ｍｍとし、加熱炉１１から抽出された１６０◇ビレットを圧延する場合について、待ち時間の減少を計算する。
１６０◇ビレット（２ｔ）を減面用粗圧延機２で圧延すると鋼材は１２２◇×１８ｍとなる。減面用粗圧延機２から出て鋼材の先端が多ストランド粗圧延機５に噛むまでの距離９１５０ｍｍは減面用粗圧延機２の圧延速度０．９ｍ／ｓで圧延され、先端が多ストランド粗圧延機５に噛み込み、尾端が振り分け装置（ダイバーター）４を抜けるまでの距離１０８０ｍｍは多ストランド粗圧延機５の入側速度０．０５９ｍ／ｓで圧延される。この時間分が下記式で計算するように待ち時間（間ピッチ）短縮効果となる。
間ピッチ短縮効果：９．１５／０．９＋１．０８／０．０５９＝２８．５ｓｅｃ
【００４６】
したがって、本発明での振り分け装置により、加熱炉から１６０◇ビレットを抽出する場合は、２９ｓｅｃ待ち時間を短縮することができる。また、１２０◇を抽出する場合についても、１６０◇ビレットの場合と条件は異なるが、１０４ｓｅｃ待ち時間を短縮することができる。このように、本発明の振り分け装置を用いることにより、次のビレットを早く抽出することが可能となる。
【００４７】
また、公知の振り分け装置の場合は、減面用圧延機で９５◇〜１３１◇に圧延されたビレット（長さ１８．０〜２９．７ｍ）を平行移動させるため、圧延されたビレットと同様の長さのスペースを必要とする。本発明の振り分け装置は、ビレットを弾性変形領域内で曲げて搬送させるため、平行移動させるスペースが必要でなく圧延されたビレットの長さ以下のスペースで設置が可能となる。また、小スペースで設備設置が出来るため既存設備（加熱炉）の移動・改造を抑えることが出来、工期・費用を削減することが可能となる。
【００４８】
また、本発明の振り分け装置はビレットを平行移動させることなく、常に圧延進行方向に搬送しているため、空冷時間が短縮されビレットの温度低下が抑制される（１℃／ｓｅｃ）。温度低下を抑制することが出来るため、加熱炉での加熱温度を低下させることが可能となり、加熱炉原単位の向上が可能となる。
【００４９】
また、本発明の多ストランド圧延設備では、減面用圧延機をオフラインにシフトし、振り分け装置を多ストランド圧延機のラインと平行にシフトすることで、減面用１ストランド圧延機を使用しない多ストランド圧延も可能となる。
【００５０】
なお、本発明は上記実施形態に限定されるものではなく、特許請求の範囲内で様々な変形が可能となる。
【符号の説明】
【００５１】
１  ビレット
２  減面用圧延機（１ストランド粗圧延機）
３  減面されたビレット
４  振り分け装置（ダイバーター）
５  多ストランド圧延機
６  衝突
７  第１の搬送トラフ
８  第２の搬送トラフ
９  搬送トラフ
１０  Ｖ字ローラ
１１  加熱炉
１２  デスケーリング装置
【図１】
0005633203.tif 000002
【図２】
0005633203.tif 000003
【図３】
0005633203.tif 000004
【図４】
0005633203.tif 000005
【図５】
0005633203.tif 000006
【図６】
0005633203.tif 000007